(57)【要約】【課題】  広角ストロボ撮影時にストロボの発光光量を増加させ、全画面がアンダーになることを防止する電子撮影装置を提供する。【解決手段】  被写体照明用のストロボ１７と、撮影用ズームレンズ２と、ストロボの発光光量を制御する制御手段７を有する電子撮影装置において、前記撮影用ズームレンズ２の焦点距離に応じて、前記ストロボ１７の適正発光光量の補正を行う。【選択図】  図１
2005189547.tif 000002
【特許請求の範囲】
【請求項１】
被写体照明用のストロボと、撮影用ズームレンズと、ストロボの発光光量を制御する制御手段を有する電子撮影装置において、制御手段は、前記撮影用ズームレンズの焦点距離に応じて、前記ストロボの適正発光光量の補正を行うことを特徴とする電子撮影装置。
【請求項２】
レンズ絞り、ＣＣＤ感度、被写体距離を含んでいる撮影条件によって決まるストロボ発光光量に対して、前記撮影用ズームレンズの光学特性に合わせて、予め設定された値で発光光量を補正することを特徴とする請求項１記載の電子撮影装置。
【請求項３】
広角端から望遠側に向けて、発光光量の補正量を減少させることを特徴とする請求項２記載の電子撮影装置。
【請求項４】
画面内で、予め設定した範囲の輝度平均値が適正となる、発光光量補正を行うことを特徴とする請求項２記載の電子撮影装置。
【請求項５】
前記発光光量の補正時に、高輝度部が予め設定されている上限値を超える場合は、補正量を抑えることを特徴とする請求項２記載の電子撮影装置。
【発明の詳細な説明】
【技術分野】
【０００１】
本発明は、被写体照明用のストロボと、撮影用ズームレンズと、ストロボの発光光量を制御する制御手段を有する電子撮影装置に関するものである。
【背景技術】
【０００２】
電子撮影装置において焦点距離の差で発生するレンズの明るさ変化を利得補正し、フラッシュ撮影可能範囲をほぼ一定に保つ技術は知られている（例えば特許文献１参照）。
【特許文献１】特開２００３−８９８９公報
【発明の開示】
【発明が解決しようとする課題】
【０００３】
しかしながら、広角撮影レンズは、周辺光量の低下が大きく、ストロボの配光特性による周辺光量の低下と合わせると、全体的に露出がアンダーになり暗い写真となる。通常ストロボ発光の適正値は、ストロボ中心ＧＮＯとレンズの絞り値で計算するため、周辺光量落ちの値は考慮されていない。
本発明の目的は、上述した実情を考慮して、広角ストロボ撮影時にストロボの発光光量を増加させ、全画面が露出アンダーになることを防止する電子撮影装置を提供することにある。
【課題を解決するための手段】
【０００４】
上記の課題を解決するために、請求項１に記載の発明は、被写体照明用のストロボと、撮影用ズームレンズと、ストロボの発光光量を制御する制御手段を有する電子撮影装置において、制御手段は、前記撮影用ズームレンズの焦点距離に応じて、前記ストロボの適正発光光量の補正を行う電子撮影装置を特徴とする。
また、請求項２に記載の発明は、レンズ絞り、ＣＣＤ感度、被写体距離を含んでいる撮影条件によって決まるストロボ発光光量に対して、前記撮影用ズームレンズの光学特性に合わせて、予め設定された値で発光光量を補正する請求項１記載の電子撮影装置を特徴とする。
また、請求項３に記載の発明は、広角端から望遠側に向けて、発光光量の補正量を減少させる請求項２記載の電子撮影装置を特徴とする。
また、請求項４に記載の発明は、画面内で、予め設定した範囲の輝度平均値が適正となる、発光光量補正を行う請求項２記載の電子撮影装置を特徴とする。
また、請求項５に記載の発明は、前記発光光量の補正時に、高輝度部が予め設定されている上限値を超える場合は、補正量を抑える請求項２記載の電子撮影装置を特徴とする。
【発明の効果】
【０００５】
本発明によれば、広角ストロボ撮影時にストロボの発光光量を増加させ、全画面がアンダーになることを防止でき、また撮影条件によって決まる、適正値に対して発光光量を増加させることで、周辺が露出アンダーになることを防止する。
【発明を実施するための最良の形態】
【０００６】
以下、図面を参照して、本発明の実施の形態を詳細に説明する。図１は本発明による電子撮影装置を示すブロック図である。図２は鏡胴ユニットおよび画像入力を説明するブロック図である。
図１および図１の鏡胴ユニット等を示す図２において、鏡胴ユニット１は、被写体の光学画像をＣＣＤ５に取り込むレンズ２(ズーム、フォーカス）、絞り３、メカシャッタ４を動かす、各モータ（図示せず）を駆動するモータドライバ６を有する。そして、ＣＰＵ７からの駆動指令により駆動制御される。
ＲＯＭ８には、ＣＰＵ７にて解読可能なコードで記述された制御プログラムや制御するためのパラメータが格納されている。このデジタルカメラの電源がオン状態になると、前記プログラムは図示してないメインメモリにロードされる。
前記ＣＰＵ７はそのプログラムにしたがって装置各部の動作を制御するとともに、制御に必要なデータ等を、一時的に、ＲＡＭ８、およびＳＲＡＭ９に保存する。
ＲＯＭ８に書き換え可能なフラッシュＲＯＭを使用することで、制御プログラムや制御するためのパラメータを変更することが可能となり、機能のバージョンアップ（ＶｅｒＵｐ）が容易に行える。
ＣＣＤ５は光学画像を光電変換するための固体撮像素子であり、画像処理１０は、画像ノイズ除去用相関二重サンプリング、利得調整、デジタル信号変換回路を有している。
ＣＰＵ７はＣＣＤ５より画像処理の出力データにホワイトバランス設定やガンマ設定を行い、フィルタリング処理により、輝度データ・色差データへの変換を行う制御ブロック、前述した装置各部の動作を制御する制御ブロック、前述した制御に必要なデータ等を、一時的に、保存するＳＲＡＭを有している。
【０００７】
ＣＰＵ７は、また、パソコンなどの外部機器とＵＳＢ通信を行うＵＳＢブロック、パソコンなどの外部機器とシリアル通信を行うシリアルブロック、ＪＰＥＧ圧縮・伸張を行うブロックを有している。
ＣＰＵ７は、さらに、画像データのサイズを補間処理により拡大／縮小するブロック、画像データを液晶モニタやＴＶなどの外部表示機器に表示するためのビデオ信号に変換するＴＶ信号表示ブロック、撮影された画像データを記録するメモリカードの制御を行うメモリカードブロックを有している。
ＳＤＲＡＭ９は前述したＣＰＵ７で画像データに各種処理を施す際に、画像データを一時的に保存する。保存される画像データは、例えば、ＣＣＤ５から、画像処理１０を経由して取り込んで、ホワイトバランス設定、ガンマ設定が行われた状態の「ＲＡＷ−ＲＧＢ画像データ」や、輝度データ・色差データ変換が行われた状態の「ＹＵＶ画像データ」、ＪＰＥＧ圧縮された「ＪＰＥＧ画像データ」などである。
記憶装置１４は、メモリカードスロットルにメモリカードが装着されていない場合でも、撮影した画像データを記憶できるようにするためのメモリである。モニタ１１は、撮影前に被写体の状態を監視、撮影した画像を確認、およびメモリカードや前述した内蔵メモリに記録した画像データを表示する機能を実施するために設けられる。
外部Ｉ／Ｏ１２は、パソコンなどの外部機器とシリアル通信を行うために、シリアルブロックの出力信号を電圧変換するための回路である。操作部材１３は、ユーザが操作するキー回路である。
音声記録ユニットは、ユーザが音声信号を入力するマイク１５、入力された音声信号を増幅するマイクアンプ、増幅された音声信号を記録する音声記録回路１６からなる。
音声再生ユニットは、記録された音声信号をスピーカから出力できる信号に変換する音声再生回路、変換された音声信号を増幅し、スピーカを駆動するためのオーディオアンプ、音声信号を出力するスピーカからなる。
【０００８】
図３は図１のストロボ１７の回路を示すブロック図である。ストロボ１７の充電部１９は昇圧、電荷蓄積、蓄積電圧のフィードバック回路を含み、電源電圧を昇圧し、コンデンサに電荷を蓄え、蓄積電圧をＣＰＵに戻し、ＣＰＵの充電制御信号によって充電電圧を制御している。
発光制御部２０は、発光制御信号のL→Hでトリガ部２１からトリガ信号が発光部２２に出力され、発光部２２で発光が始まり、コンデンサの電荷が発光部２２で放電され、発光を開始する。
発光は発光制御信号のH→Lで停止し、発光制御信号のH時間巾で発光光量が制御される。通常制御素子にはＩＧＢＴが使用される。必要とする発光光量は距離、絞り、画像増幅率によって求められ、予めテーブルとして記憶されている。
充電電圧の制御は、図示していないが、コンデンサの充電電圧を分圧し、Ａ／Ｄ変換し、ＣＰＵ７で監視すればよい。
図４は焦点距離による光量補正の例を示す特性図である。広角時に最大補正量となり、望遠側に行くにしたがって、補正値が低下して行く。レンズの周辺光量落ちは焦点距離のｃｏｓの４乗の画角に比例するため、そのカーブに合わせてもよいし、簡略化して直線で結んでもよい、また、広角１点のみの補正でもよい。
【０００９】
図５はストロボ発光光量を補正する流れを説明するフローチャートである。撮影条件によって決まる適正発光光量に対して、使用レンズの焦点距離によって決まる補正値を加算し、結果の光量を得られる発光制御信号H時間をテーブルから求め、露光時のストロボ発光タイミングでストロボ発光光量を制御する。
図５において、ストロボ撮影にさいして、距離、ＩＳＯ、絞りの読み込みを行い（Ｓ１）、適正発光光量の演算を行なう（Ｓ２）。次に焦点距離を読み込んで（Ｓ３）、焦点距離によるストロボ発光光量補正量をテーブルから求める（Ｓ４）。
次に、発光補正量を読み込んで（Ｓ５）、発光光量の演算を行い（Ｓ６）、発光光量から発光時間をテーブルから読み込み（Ｓ７）、これにより露光時のストロボ発光タイミングでストロボ発光光量を制御する。
この制御の一例は以下の通りである。
絞り：Ｆ２．８、ＩＳＯ（増幅率）：１００、距離：１ｍ、適正発光光量：２．８＊１＝２．８、ＧＮＯ．２．８、広角時の補正量：＋０．５ＥＶ、補正後の発光光量：２．８＊（ＳＱＲ（２））＾（０．５）＝３．３、ＧＮＯ．３．３
ＧＮＯ．３．３のパルス巾で発光制御信号を制御する。発光光量の補正テーブルは、全画面平均で適正値となるように設定すれば、バランスのよい写真となる。中心が高輝度になり、オーバーとなる場合があるため、中心がオーバーとならない範囲で設定する必要が生じる。
設定方法としては、全画面より小さい範囲を指定し、適正になるように予めテーブルを設定する方法と、中心画像がオーバーになり過ぎないレベル（例：＋０．５ＥＶ）でテーブルを設定する方法が考えられる。
予備発光タイプで、予め各画面の反射率が解るのであれば、高反射率の部分が露出オーバーになり過ぎないレベル設定にすることも可能になる。
焦点距離によって変化する周辺光量の低下に合わせて、補正量を変化させることによって、効率の良い補正を行う。補正対象範囲を画面内の範囲に制限することによって、実質的な効率の良い補正が行える。（最外周の四隅など最低下部分を切り捨てる)。
全体の光量を上げるため、中心または高反射率の被写体輝度が高くなり、露出オーバーとなることを、リミットを入れることによって防止できる。
【図面の簡単な説明】
【００１０】
【図１】本発明による電子撮影装置を示すブロック図である。
【図２】鏡胴ユニットおよび画像入力を説明するブロック図である。
【図３】ストロボの回路を示すブロック図である。
【図４】焦点距離による光量補正の例を示す特性図である。
【図５】ストロボ発光光量を補正する流れを説明するフローチャートである。
【符号の説明】
【００１１】
２  レンズ（ズームレンズ、フォーカスレンズ）
７  ＣＰＵ（発光光量制御手段）
１７  ストロボ（被写体照明用の）
１９  充電部
２０  発光制御部
【図１】
2005189547.tif 000003
【図２】
2005189547.tif 000004
【図３】
2005189547.tif 000005
【図４】
2005189547.tif 000006
【図５】
2005189547.tif 000007